(57)【要約】【課題】簡単にフォーカス調節時のピント確認を行えるようにした撮像装置を提供する。【解決手段】撮像装置は、撮像光学系１０１〜１０５により形成された被写体像を光電変換する撮像素子１０６と、該撮像素子を用いて生成された画像を表示する表示手段１１１とを有する。該撮像装置は、撮影光学系のマニュアルフォーカス調節のために操作される操作手段１２４が操作されたことに応じて表示手段にフォーカス調節用画像を表示させる制御手段１１４，１１０を有する。制御手段は、フォーカス調節用画像の表示開始を操作手段の操作の開始に対して遅延させる。【選択図】図１
2008193361.tif 000002
【特許請求の範囲】
【請求項１】
撮像光学系により形成された被写体像を光電変換する撮像素子と、
該撮像素子を用いて生成された画像を表示する表示手段と、
前記撮像光学系のマニュアルフォーカス調節のために操作される操作手段が操作されたことに応じて前記表示手段にフォーカス調節用画像を表示させる制御手段とを有し、
前記制御手段は、前記フォーカス調節用画像の表示開始を前記操作手段の操作の開始に対して遅延させることを特徴とする撮像装置。
【請求項２】
前記制御手段は、前記操作手段の操作が停止されたことに応じて前記表示手段における前記フォーカス調節用画像の表示を停止させることを特徴とする請求項１に記載の撮像装置。
【請求項３】
前記フォーカス調節用画像は、前記操作手段が操作される前に前記表示手段に表示される画像に対して拡大された画像であることを特徴とする請求項１又は２に記載の撮像装置。
【請求項４】
前記フォーカス調節用画像は、前記操作手段が操作される前に前記表示手段に表示される画像に対してアパーチャ強調処理がなされた画像であることを特徴とする請求項１又は２に記載の撮像装置。
【請求項５】
前記制御手段は、前記操作手段の操作停止に対する前記フォーカス調節用画像の表示停止及び前記操作手段の操作停止に対して遅延させることを特徴とする請求項１から４のいずれか１つに記載の撮像装置。
【請求項６】
撮像光学系により形成された被写体像を光電変換する撮像素子と、該撮像素子を用いて生成された画像を表示する表示手段とを有する撮像装置の制御方法であって、
前記撮像光学系のマニュアルフォーカス調節のために操作される操作手段の操作を検出するステップと、
前記操作手段が操作されたことに応じて前記表示手段にフォーカス調節用画像を表示させる表示ステップとを有し、
前記表示ステップにおいて、前記フォーカス調節用画像の表示開始を前記操作手段の操作の開始に対して遅延させることを特徴とする撮像装置の制御方法。
【発明の詳細な説明】
【技術分野】
【０００１】
本発明は、ビデオカメラやデジタルスチカメラ等の撮像装置及びその制御方法に関する。
【背景技術】
【０００２】
上記のような撮像装置に用いられる撮像素子はますます高画素化が進み、より高解像度の画像を記録できるようになっている。これに伴い、わずかなピントずれが目立つようになってきている。
【０００３】
最近では、電子ビューファインダ（ＥＶＦ）や液晶ディスプレイ（ＬＣＤ）に画像を拡大表示して、より精密なピント確認を行えるようにした撮像装置が提案されている。特に特許文献１では、本来の撮影画面の全体を表示する状態（通常表示状態）とその一部を拡大して表示する状態（拡大表示状態）とを切り換えられる撮像装置が開示されている。この撮像装置では、表示状態の切り換え専用のスイッチを設けず、撮影処理や再生処理のための指示を行うための複数の操作部材（ＡＦ測距点選択ボタンや十字ボタン等）のいずれかに表示状態の切り換え操作機能を割り当てている。
【特許文献１】特開２００６−３１１３５１号公報（段落００４５〜００４９、図６等）
【発明の開示】
【発明が解決しようとする課題】
【０００４】
しかしながら、特許文献１にて開示された撮像装置では、通常表示状態を拡大表示状態に切り換えるためには、フォーカス調節（フォーカスレンズの移動）のための操作部材とは別に表示状態の切り換え機能が割り当てられた操作部材を操作する必要がある。ピント確認のためにフォーカス調節用の操作部材とは別の操作部材の操作を要求することは、ユーザに煩わしさを感じさせるおそれがある。
【０００５】
本発明は、より簡単にフォーカス調節時のピント確認を行えるようにした撮像装置を提供する。
【課題を解決するための手段】
【０００６】
本発明の一側面としての撮像装置は、撮像光学系により形成された被写体像を光電変換する撮像素子と、該撮像素子を用いて生成された画像を表示する表示手段とを有する。そして、該撮像装置は、撮影光学系のマニュアルフォーカス調節のために操作される操作手段が操作されたことに応じて表示手段にフォーカス調節用画像を表示させる制御手段を有する。そして、制御手段は、フォーカス調節用画像の表示開始を操作手段の操作の開始に対して遅延させることを特徴とする。
【０００７】
また、本発明の他の側面としての制御方法は、撮像光学系により形成された被写体像を光電変換する撮像素子を用いて生成された画像を表示する表示手段を有する撮像装置に適用される。該制御方法は、撮像光学系のマニュアルフォーカス調節のために操作される操作手段の操作を検出するステップと、該操作手段が操作されたことに応じて表示手段にフォーカス調節用画像を表示させる表示ステップとを有する。そして、表示ステップにおいて、フォーカス調節用画像の表示開始を操作手段の操作の開始に対して遅延させることを特徴とする。
【発明の効果】
【０００８】
本発明によれば、マニュアルフォーカス調節のための操作手段の操作に連動して自動的にフォーカス調節用画像（拡大画像やアパーチャ補正画像等）が表示される。したがって、特別な操作を行わなくても表示手段を通じて精密なピント確認を行うことができる。
【発明を実施するための最良の形態】
【０００９】
以下、本発明の好ましい実施例について図面を参照しながら説明する。
【実施例１】
【００１０】
図１には、本発明の実施例１である撮像装置としてのビデオカメラを示している。
【００１１】
図１において、１０１は固定された第１レンズユニット、１０２は光軸方向に移動して変倍を行う変倍レンズユニット（以下、ズームレンズという）、１０３は絞り、１０４は固定された第３レンズユニットである。１０５はフォーカス調節機能と変倍に伴う焦点面の移動を補正するいわゆるコンペンセータ機能とを兼ね備えたフォーカスレンズユニット（以下、単にフォーカスレンズという）である。上記レンズユニット及び絞り１０１〜１０５により撮像光学系が構成される。
【００１２】
１０６はＣＣＤセンサやＣＭＯＳセンサ等により構成される撮像素子であり、撮像光学系により形成された被写体像を光電変換する。
【００１３】
１０７はアナログ信号処理回路であり、撮像素子１０６から読み出された信号に各種処理を施してアナログ撮像信号を生成する。アナログ信号処理回路１０７は、ＣＤＳ（correlated Double Sampling:相関二重サンプリング）回路、ＡＧＣ（Automatic Gain Control）回路等を含む。
【００１４】
１０８はカメラ信号処理回路であり、これに内蔵されたＡ／Ｄ変換器によって、アナログ信号処理回路１０７で生成されたアナログ撮像信号をデジタル撮像信号に変換する。さらに、カメラ信号処理回路１０８は、ガンマ補正、ホワイトバランス等、各種信号処理を行って出力映像信号を生成する。
【００１５】
１０９は動画像や静止画像を記録する記録媒体であり、半導体メモリや光ディスク、磁気テープ等が用いられる。
【００１６】
一方、アナログ信号処理回路１０７のＡＧＣ回路で増幅されたアナログ撮像信号は、ＡＦゲート１１２及び絞り制御回路１１５へと送られる。ＡＦゲート１１２では、オートフォーカス（ＡＦ）によって合焦を得るために最適な信号取り出し範囲が画像全体の中から設定される。ＡＦゲート１１２の大きさは可変であり、ＡＦゲート１１２が複数設けられる場合もある。
【００１７】
１１３はＡＦ信号処理回路であり、いわゆるＴＶ−ＡＦ（又はコントラストＡＦ）を行うために、ＡＦゲート１１２を通過した撮像信号から高周波成分、低周波成分及び輝度差成分（撮像信号の輝度レベルの最大値と最小値の差分）を抽出する。この抽出された信号がＡＦ評価値信号となる。
【００１８】
１１４はカメラシステム制御用マイクロコンピュータ（以下、カメラマイクロコンピュータという）である。カメラマイクロコンピュータ１１４は、カメラ信号処理回路１０８の動作を制御したり、ＡＦ信号処理回路１１３から出力されたＡＦ評価値信号に基づいてフォーカスレンズ１０５の駆動を制御したりする。
【００１９】
また、カメラマイクロコンピュータ１１４は、後述するフォーカスボリューム１２４の操作量に応じてフォーカスドライバ１１９を通じてフォーカスモータ１２１を駆動し、フォーカスレンズ１０５を移動させる。
【００２０】
さらに、カメラマイクロコンピュータ１１４は、ズームスイッチ１２２の操作情報を読み込んで、ズームドライバ１１８を通じてズームモータ１２０を駆動し、ズームレンズ１０２を移動させる。ズームスイッチ１２２は、ズームレンズ１０２のワイド方向及びテレ方向への移動を指示するための操作部材であり、その操作量に応じて電圧が変化するように構成されている。カメラマイクロコンピュータ１１４は、ズームスイッチ１２２が操作されたときにその出力電圧の変化を検出し、出力電圧に応じたズーム速度でズームレンズ１０２を移動させるようにズームドライバ１１８に駆動信号を出力する。
【００２１】
絞り１０３は、撮像素子１０６の適正な露光量が維持されるように、絞り制御回路１１５によりその駆動が制御される。絞り制御回路１１５は、アナログ信号処理回路１０７からの出力信号のレベルを検出し、このレベルが一定レベル（適正露光量）ではない場合はこれを一定レベルにするための絞り制御信号を発生する。絞り制御信号は、絞りドライバ１１６に出力され、絞りドライバ１１６は該絞り制御信号に応じて絞りモータ１１７を駆動して絞り開口径をコントロールする。
【００２２】
１２３はＡＦ／ＭＦ切り換えスイッチであり、フォーカスモードをＡＦ（オートフォーカス）モードとＭＦ（マニュアルフォーカス）モードとに切り換えるために操作される。ＡＦ／ＭＦ切り換えスイッチ１２３の状態は、カメラマイクロコンピュータ１１４によりモニタされる。
【００２３】
カメラマイクロコンピュータ１１４は、ＡＦ／ＭＦ切り換えスイッチ１２３がＡＦに設定されている場合は、ＡＦ評価値信号が最大になるように駆動信号をフォーカスドライバ１１９に出力し、フォーカスレンズ１０５を移動させる。これにより、オートフォーカスが行われる。一方、ＡＦ／ＭＦ切り換えスイッチ１２３がＭＦに設定されている場合は、操作手段としてのフォーカスボリューム１２４の操作量に応じた駆動信号をフォーカスドライバ１１９に出力し、フォーカスレンズ１０５を移動させる。これにより、マニュアルフォーカスが行われる。
【００２４】
なお、本実施例では、マニュアルフォーカス調節のために操作される操作手段としてフォーカスボリューム１２４を備える場合について説明する。しかし、操作手段としては、ダイヤルキーやシーソーキーでもよいし、レンズ鏡筒に回転可能に設けられたフォーカス操作リングでもよい。
【００２５】
１１０は表示処理回路であり、カメラ信号処理回路１０８からの出力映像信号を、ＬＣＤ等の表示デバイス（表示手段）１１１に対応した映像信号に変換する。表示デバイス１１１は、電子ビューファインダ（ＥＶＦ）や外部表示モニタを構成する。フォーカスボリューム１２４の操作時、すなわちマニュアルフォーカス操作時以外の場合では、撮像光学系のズーム状態又は電子ズーム状態に応じたサイズの画像（通常画像）が表示デバイス１１１に表示される。表示処理回路１１０とカメラマイクロコンピュータ１１４により制御手段が構成される。
【００２６】
一方、マニュアルフォーカス操作時には、表示処理回路１１０は、カメラマイクロコンピュータ１１４からの命令に従って、上記通常画像の一部を拡大した拡大画像又はアパーチャ強調画像（これについては実施例２で説明する）を生成する。そして、この拡大画像又はアパーチャ強調画像をフォーカス調節用画像として表示デバイス１１１に表示させる。
【００２７】
拡大処理やアパーチャ強調処理を施す画像領域は、通常画像のうち、中央領域でもよいしユーザにより予め選択された領域であってもよい。
【００２８】
次に、フォーカスボリューム１２４の具体的構成について説明する。図２Ａはフォーカスボリューム１２４を構成するエンドレスタイプのボリュームエンコーダの概略を示している。図２Ａにおいて、２０１は抵抗体、２０２，２０３は絶縁体２０４を中心としてそれぞれ回転する２つの摺動子であり、絶縁体２０４を挟んで互いに反対側に配置されている。２０５，２０６はプルダウン抵抗である。
【００２９】
図２Ｂには、摺動子２０２，２０３が回転したときのフォーカスボリューム１２４からの出力信号の変化を示す。摺動子２０２，２０３の出力端子をそれぞれＡ相，Ｂ相とする。
【００３０】
摺動子２０２，２０３が図２Ａにおける反時計回り方向（図２Ｂ中の回転角θが増加する方向）に回転して抵抗体２０１上を摺動すると、Ａ相，Ｂ相の出力信号がともに０から電源１２５の＋電位まで上昇する。そして、摺動子２０２，２０３が、抵抗体２０１が途切れた領域に到達すると、Ａ相，Ｂ相の出力信号はプルダウン抵抗によって０に戻る。
【００３１】
摺動子２０２，２０３は絶縁体２０４を挟んで互いに反対側に配置されているので、Ａ相とＢ相の出力波形は、等しい形状で、かつ位相が１８０°ずれた波形となる。
【００３２】
摺動子２０２，２０３が図２Ａにおける時計回り方向（図２Ｂ中の回転角θが減少する方向）に回転した場合、摺動子２０２，２０３が抵抗体２０１が途切れた領域で回転するときはＡ相，Ｂ相の出力信号がともに０となる。しかし、摺動子２０２，２０３が抵抗体２０１上を摺動すると、Ａ相，Ｂ相の出力信号は電源１２５の＋電位から０に向かって減収する。
【００３３】
このようにＡ相，Ｂ相の出力信号は、その傾きの正負がフォーカスボリューム１２４の回転方向によって変化し、また傾き量がフォーカスボリューム１２４の回転量に応じて変化する。このため、該傾きの正負と傾き量とを検出することにより、フォーカスボリューム１２４の回転方向と回転量（回転角θ）とを検出できる。したがって、フォーカスレンズ１０５は、フォーカスボリューム１２４の回転操作方向と操作量とに対応した方向（至近又は無限遠）に移動する。
【００３４】
図３は、上記ビデオカメラにおいてフォーカス調節のためのフォーカスボリューム１２４の操作時に拡大画像表示を行う表示制御の流れを示すフローチャートである。なお、図３のフローチャートに示す表示制御は、カメラマイクロコンピュータ１１４がその内部に格納されたコンピュータプログラムに従って実行する。また、該表示制御は、映像信号の垂直同期信号に同期して繰り返し実行される。さらに、本表示制御処理中に示すカウンタ値は、常に前に処理された状態を継続して保っている変数である。
【００３５】
ステップ１００１において、カメラマイクロコンピュータ１１４は、ＡＦ／ＭＦ切り換えスイッチ１２３の状態から、ＡＦモードが選択されているかＭＦモードが選択されているかを判別する。ＭＦモードが選択されている場合はステップ１００２に進み、ＡＦモードが選択されている場合はステップ１０１０に進む。
【００３６】
ステップ１００２では、カメラマイクロコンピュータ１１４は、フォーカスボリューム１２４からの出力信号の変化の有無を通じてマニュアルフォーカス操作が行われたかどうかを判別する。マニュアルフォーカス操作が行われた場合はステップ１００３へ進み、マニュアルフォーカス操作が行われていない場合はステップ１００７へ進む。
【００３７】
ステップ１００３では、カメラマイクロコンピュータ１１４は、拡大表示ＯＮ用カウンタ値を１だけインクリメントする。
【００３８】
ステップ１００４では、カメラマイクロコンピュータ１１４は、拡大表示ＯＮ用カウンタ値がしきい値αを超えたか否かを判別する。超えていればステップ１００５へ進み、超えていなければステップ１００１にリターンする。
【００３９】
ステップ１００５では、カメラマイクロコンピュータ１１４は、表示処理回路１１０に拡大表示ＯＮ命令を送り、表示処理回路１１０にそれまで表示していた通常画像の一部に対して拡大処理を行わせ、その結果得られた拡大画像の表示を行わせる。
【００４０】
そして、ステップ１００６では、カメラマイクロコンピュータ１１４は、拡大表示ＯＦＦ用カウンタ値をクリアする。
【００４１】
一方、ステップ１００７では、カメラマイクロコンピュータ１１４は、現在の表示状態が拡大画像表示状態か通常画像表示状態か否かを判別する。拡大画像表示状態であればステップ１００８へ進み、拡大画像表示状態でなければ（通常画像表示状態であれば）ステップ１０１０へ進む。
【００４２】
ステップ１００８では、カメラマイクロコンピュータ１１４は、拡大表示ＯＦＦ用カウンタ値を１だけインクリメントする。
【００４３】
次に、ステップ１００９では、拡大表示ＯＦＦ用カウンタ値がしきい値βを超えているか否かを判別し、超えていればステップ１０１０へ進み、超えていなければステップ１００１にリターンする。
【００４４】
ステップ１０１０では、カメラマイクロコンピュータ１１４は、表示処理回路１１０に拡大表示ＯＦＦ命令を送り、表示処理回路１１０での拡大画像の表示を停止させ、通常画像を表示させる。
【００４５】
そして、ステップ１０１１では、カメラマイクロコンピュータ１１４は、拡大表示ＯＮ用カウンタ値をクリアする。
【００４６】
このように、本実施例では、フォーカスボリューム１２４のマニュアルフォーカス操作が行われたことに応じて自動的に拡大画像を表示する。これにより、ユーザが拡大画像を表示させるためのスイッチ操作を行わなくても、マニュアルフォーカスによるピント合わせ時に自動的に拡大画像が表示され、ユーザはピント確認を容易に行うことができる。また、また、拡大画像の表示開始後、マニュアルフォーカス操作が行われなければ自動的に通常画像の表示状態に切り換えられる。このため、ユーザによる拡大画像の表示を中止させるためのスイッチ操作を不要とすることができる。
【００４７】
なお、本実施例では、マニュアルフォーカス操作の開始から拡大表示ＯＮ用カウンタ値がしきい値αを超えるまでは拡大画像を表示しない。すなわち、マニュアルフォーカス操作の開始から一定の遅延時間が経過してから拡大画像の表示状態に切り換わる。これにより、フォーカス調節を意図せずにフォーカスボリューム１２４に触れてしまったような場合にただちに拡大画像に切り換わってしまうことを回避できる。
【００４８】
また、マニュアルフォーカス操作が行われなくなった後、拡大表示ＯＦＦ用カウンタ値がしきい値βを超えるまでは拡大画像を通常画像に戻さない。すなわち、マニュアルフォーカス操作停止から一定の遅延時間が経過してから拡大画像の表示停止が行われ、通常画像の表示状態に戻される。これにより、ユーザにおいてフォーカス調節がまだ完了していないがフォーカスボリューム１２４の操作を一時的に中断しているような場合にただちに通常画像に切り換わってしまうことを回避できる。
【００４９】
これらの遅延時間を設けることで、頻繁に表示画像が切り換わってユーザに不快感を与えないようにすることができる。また、誤操作による画像の切り替わりを防止することができる。
【００５０】
なお、しきい値αとしきい値βは同じ値であってもよいし異なる値であってもよい。また、それぞれの値を０としてマニュアルフォーカス操作の開始と停止に即連動して拡大画像表示のＯＮ／ＯＦＦ切り換えが行われるようにすることも可能である。
【実施例２】
【００５１】
図４には、本発明の実施例２として、実施例１に示したビデオカメラにおいて、フォーカス調節のためのフォーカスボリューム１２４の操作時にアパーチャ強調画像表示を行う表示制御の流れを示す。本実施例の表示処理も、カメラマイクロコンピュータ１１４がその内部に格納されたコンピュータプログラムに従って実行する。また、該表示制御は、映像信号の垂直同期信号に同期して繰り返し実行される。さらに、本表示制御処理中に示すカウンタ値は、常に前に処理された状態を継続して保っている変数である。
【００５２】
本実施例にいうアパーチャ強調処理は、画像中の被写体の輪郭を強調することで該輪郭をシャープに見せる処理であり、一般にいうアパーチャ補正処理の一部である。より詳しくは、撮像素子自体の解像力が有限であるために生じる映像信号の高域振幅の低下を補正する処理である。アパーチャ強調処理が施されたアパーチャ強調画像を表示することで、ピントの合い具合をより確認し易くすることができる。
【００５３】
ステップ２００１において、カメラマイクロコンピュータ１１４は、ＡＦ／ＭＦ切り換えスイッチ１２３の状態から、ＡＦモードが選択されているかＭＦモードが選択されているかを判別する。ＭＦモードが選択されている場合はステップ２００２に進み、ＡＦモードが選択されている場合はステップ２０１０に進む。
【００５４】
ステップ２００２では、カメラマイクロコンピュータ１１４は、フォーカスボリューム１２４からの出力信号の変化の有無を通じてマニュアルフォーカス操作が行われたかどうかを判別する。マニュアルフォーカス操作が行われた場合はステップ２００３へ進み、マニュアルフォーカス操作が行われていない場合はステップ２００７へ進む。
【００５５】
ステップ２００３では、カメラマイクロコンピュータ１１４は、アパーチャ強調ＯＮ用カウンタ値を１だけインクリメントする。
【００５６】
ステップ２００４では、カメラマイクロコンピュータ１１４は、アパーチャ強調ＯＮ用カウンタ値がしきい値αを超えたか否かを判別する。超えていればステップ２００５へ進み、超えていなければステップ２００１にリターンする。
【００５７】
ステップ２００５では、カメラマイクロコンピュータ１１４は、表示処理回路１１０にアパーチャ強調ＯＮ命令を送り、表示処理回路１１０にそれまで表示していた通常画像の一部又は全体に対してアパーチャ強調処理を行わせる。そして、その結果得られたアパーチャ強調画像の表示を行わせる。
【００５８】
そして、ステップ２００６では、カメラマイクロコンピュータ１１４は、アパーチャ強調ＯＦＦ用カウンタ値をクリアする。
【００５９】
一方、ステップ２００７では、カメラマイクロコンピュータ１１４は、現在の表示状態がアパーチャ強調画像表示状態か通常画像表示状態か否かを判別する。アパーチャ強調画像表示状態であればステップ２００８へ進み、アパーチャ強調画像表示状態でなければ（通常画像表示状態であれば）ステップ２０１０へ進む。
【００６０】
ステップ２００８では、カメラマイクロコンピュータ１１４は、アパーチャ強調ＯＦＦ用カウンタ値を１だけインクリメントする。
【００６１】
次に、ステップ２００９では、アパーチャ強調ＯＦＦ用カウンタ値がしきい値βを超えているか否かを判別し、超えていればステップ２０１０へ進み、超えていなければステップ２００１にリターンする。
【００６２】
ステップ２０１０では、カメラマイクロコンピュータ１１４は、表示処理回路１１０にアパーチャ強調ＯＦＦ命令を送り、表示処理回路１１０でのアパーチャ強調画像の表示を停止させ、通常画像を表示させる。
【００６３】
そして、ステップ２０１１では、カメラマイクロコンピュータ１１４は、アパーチャ強調ＯＮ用カウンタ値をクリアする。
【００６４】
このように、本実施例では、フォーカスボリューム１２４のマニュアルフォーカス操作が行われたことに応じて自動的にアパーチャ強調画像を表示する。これにより、ユーザがアパーチャ強調画像を表示させるためのスイッチ操作を行わなくても、マニュアルフォーカスによるピント合わせ時に自動的にアパーチャ強調画像が表示され、ユーザはピント確認を容易に行うことができる。また、アパーチャ強調画像の表示開始後、マニュアルフォーカス操作が行われなければ自動的に通常画像の表示状態に切り換えられる。このため、ユーザによるアパーチャ強調画像の表示を中止させるためのスイッチ操作を不要とすることができる。
【００６５】
なお、本実施例でも、マニュアルフォーカス操作の開始から一定の遅延時間が経過してから（アパーチャ強調ＯＮ用カウンタ値がしきい値αを超えてから）アパーチャ強調画像の表示状態に切り換わる。また、マニュアルフォーカス操作が行われなくなった（操作停止）後、一定の遅延時間が経過してから（アパーチャ強調ＯＦＦ用カウンタ値がしきい値βを超えてから）アパーチャ強調画像の表示停止が行われ、通常画像の表示状態に戻される。これらの理由は、実施例１と同様である。
【００６６】
また、本実施例でも、しきい値αとしきい値βは同じ値であってもよいし異なる値であってもよい。また、それぞれの値を０としてマニュアルフォーカス操作の開始と停止に即連動してアパーチャ強調画像表示のＯＮ／ＯＦＦ切り換えが行われるようにすることも可能である。
【００６７】
なお、上記各実施例では、レンズ一体型であってフォーカスボリューム１２４を備えたビデオカメラについて説明したが、本発明は、レンズ交換型のビデオカメラにも適用できる。この場合において、フォーカスボリュームに相当する操作手段（フォーカス操作リング等）が交換レンズに取り付けられている場合は、交換レンズから受信した操作信号に応じてフォーカス調節用画像を表示する。
【００６８】
また、本発明は、ビデオカメラに限らず、デジタルスチルカメラにも適用することができる。
【図面の簡単な説明】
【００６９】
【図１】本発明の実施例であるビデオカメラの構成を示すブロック図。
【図２Ａ】実施例におけるフォーカスボリュームの構成を説明するための図。
【図２Ｂ】実施例におけるフォーカスボリュームからの出力信号の変化を説明するための図。
【図３】実施例１における表示制御の流れを示すフローチャート。
【図４】実施例２における表示制御の流れを示すフローチャート。
【符号の説明】
【００７０】
１０５  フォーカスレンズ
１０６  撮像素子
１１０  表示処理回路
１１１  表示デバイス
１１４  カメラマイクロコンピュータ
１２４  フォーカスボリューム
【図１】
2008193361.tif 000003
【図２Ａ】
2008193361.tif 000004
【図２Ｂ】
2008193361.tif 000005
【図３】
2008193361.tif 000006
【図４】
2008193361.tif 000007